(57)【要約】【課題】ディスク検査装置の消耗品であるヘッドアセンブリを、比較的簡単な構成により磁気ヘッドがロードバーと接触することによって破損が生じるのを防止すると共に、ジンバルに不要な力が加わらないようにしてジンバルの変形を防止して交換できるようにする。【解決手段】磁気ディスク検査装置のヘッド手段を、磁気ヘッドとこの磁気ヘッドを保持して先端部に突起状のリフトタブが形成されこのリフトタブが形成された側と反対の側の磁気ヘッドを保持する面とは反対側の面に突起部を有するボス穴が形成されたジンバルとを備えたヘッドアセンブリ部と、リフトタブを押し当てることによりヘッドアセンブリ部の磁気ヘッドの高さを規定するロードバーを有してヘッドアセンブリ部のジンバルに形成されたボス穴を挿入する穴部が形成されておりこの穴部にジンバルに形成されたボス穴を挿入してヘッドアセンブリ部を装着するサスペンションアダプタ部を備えて構成した。【選択図】図１
2013206506.tif 000002
【特許請求の範囲】
【請求項１】
磁気ディスクを保持して回転させるスピンドル軸手段と、
該スピンドル軸手段で回転させた磁気ディスクにテストデータを書込み、該書き込んだテストデータを読み出して前記磁気ディスクの電気的特性を検出する磁気ヘッドを備えたヘッド手段と、
該ヘッド手段の磁気ヘッドで前記磁気ディスクから読み出した前記テストデータの検出信号を処理して前記磁気ディスクの電気的特性を検査する信号処理手段と、
前記スピンドル軸手段と前記ヘッド手段と前記信号処理手段とを制御する制御手段と
を備えた磁気ディスクの検査装置であって、
前記ヘッド手段は、前記磁気ヘッドと該磁気ヘッドを保持して先端部に突起状のリフトタブが形成され該リフトタブが形成された側と反対の側にはボス穴が形成されたジンバルとを備えたヘッドアセンブリ部と、該ヘッドアセンブリ部の前記磁気ヘッドの高さを規定するロードバーを有して前記ヘッドアセンブリ部を装着するサスペンションアダプタ部とを備え、前記サスペンションアダプタ部の前記ヘッドアセンブリ部を装着する面には前記ジンバルのボス穴に対応する穴部が設けられており、かつ、前記装着する面の一辺には傾斜面が接続しており、前記ヘッドアセンブリ部のジンバルを前記サスペンションアダプタ部の前記傾斜面に沿わせて前記ジンバルのボス穴の一部を前記ブロック体の穴部に挿入した状態で前記ジンバルのリフトタブが前記サスペンションアダプタ部の前記ローバーの下方に位置するように前記ヘッドアセンブリ部と前記サスペンションアダプタ部とが形成されていることを特徴とする磁気ディスク検査装置。
【請求項２】
前記ヘッド手段は、前記ヘッドアセンブリ部と前記サスペンションアダプタ部とを２対備え、該２対の前記ヘッドアセンブリ部と前記サスペンションアダプタ部とで前記磁気ディスクの両面を同時に検査することを特徴とする請求項１記載の磁気ディスク検査装置。
【請求項３】
前記ヘッドアセンブリ部のジンバルは、前記ボス穴が形成された部分に対して前記磁気ヘッドを装着する側が前記ボス穴の突起の側と反対の側に折り曲げて形成されていることを特徴とする請求項１又は２に記載の磁気ディスク検査装置。
【請求項４】
前記サスペンションアダプタ部の前記ローバーは、前記ヘッドアセンブリ部に装着された前記磁気ヘッドの厚さよりも薄く形成されていることを特徴とする請求項１乃至３の何れかに記載の磁気ディスク検査装置。
【請求項５】
磁気ディスクを保持して回転させるスピンドル軸手段と、
該スピンドル軸手段で回転させた磁気ディスクにテストデータを書込み、該書き込んだテストデータを読み出して前記磁気ディスクの電気的特性を検出する磁気ヘッドを備えたヘッド手段と、
該ヘッド手段の磁気ヘッドで前記磁気ディスクから読み出した前記テストデータの検出信号を処理して前記磁気ディスクの電気的特性を検査する信号処理手段と、
前記スピンドル軸手段と前記ヘッド手段と前記信号処理手段とを制御する制御手段と
を備えた磁気ディスクの検査装置であって、
前記ヘッド手段は、前記磁気ヘッドと該磁気ヘッドを保持して先端部に突起状のリフトタブが形成され該リフトタブが形成された側と反対の側には前記磁気ヘッドを保持する面とは反対側の面に突起部を有するボス穴が形成されたジンバルとを備えたヘッドアセンブリ部と、前記リフトタブを押し当てることにより前記ヘッドアセンブリ部の前記磁気ヘッドの高さを規定するロードバーを有して前記ヘッドアセンブリ部のジンバルに形成されたボス穴を挿入する穴部が形成されており該穴部に前記ジンバルに形成されたボス穴を挿入して前記ヘッドアセンブリ部を装着するサスペンションアダプタ部とを備えたことを特徴とする磁気ディスク検査装置。
【請求項６】
前記サスペンションアダプタ部の前記ヘッドアセンブリ部を装着する面の一片は傾斜面に接続しており、該傾斜面は、前記ヘッドアセンブリ部を前記サスペンションアダプタ部に装着するときに前記ヘッドアセンブリ部のジンバルを前記サスペンションアダプタ部の傾斜面に押し当てて前記ジンバルに設けたボス穴の突起の一部を前記前記サスペンションアダプタ部の穴部に挿入した状態で、前記ジンバルのリフトタブが前記サスペンションアダプタ部の前記ローバーの下方に位置するように形成されていることを特徴とする請求項５記載の磁気ディスク検査装置。
【請求項７】
前記ヘッド手段は、前記ヘッドアセンブリ部と前記サスペンションアダプタ部とを２対備え、該２対の前記ヘッドアセンブリ部と前記サスペンションアダプタ部とで前記磁気ディスクの両面を同時に検査することを特徴とする請求項５又は６に記載の磁気ディスク検査装置。
【請求項８】
前記ヘッドアセンブリ部のジンバルは、前記ボス穴が形成された部分に対して前記磁気ヘッドを装着する側が前記ボス穴の突起の側と反対の側に折り曲げて形成されていることを特徴とする請求項５乃至７の何れかに記載の磁気ディスク検査装置。
【請求項９】
前記サスペンションアダプタ部の前記ローバーは、前記ヘッドアセンブリ部に装着された前記磁気ヘッドの厚さよりも薄く形成されていることを特徴とする請求項５乃至８の何れかに記載の磁気ディスク検査装置。
【発明の詳細な説明】
【技術分野】
【０００１】
本発明は、磁気ディスクを検査するディスク検査装置に係り、先端にリフトタブを形成したヘッドアッセンブリを備えたディスク検査装置に関するものである。
【背景技術】
【０００２】
磁気ディスクにテストデータを書き込みその書き込んだデータを読み出すことにより磁気ディスクの電気的特性検査を行うディスク検査装置において、非アクセス時に磁気ヘッドを搭載したヘッドアセンブリを、スピンドル軸に搭載した磁気ディスクの外周部の外側に設けられた傾斜面に保持するランプロード方式のヘッドロード機構に対応して、先端にリフトタブを形成したヘッドアッセンブリを磁気ディスク上からロード、アンロードする方式がある。
【０００３】
ランプロード方式のヘッドロード機構に対応する構成として、特許文献１には、リフトタブを押圧して、ロード、アンロードする方式が記載されている。
【０００４】
一方、特許文献２及び３には、回転方式のローディング機構が記載されているが、この方式の場合は、ヘッドアッセンブリを回転させてロード、アンロードする方式となる。
【０００５】
更に特許文献４には、ヘッドアッセンブリの交換を容易にするヘッドローディング機構が記載されている。
【先行技術文献】
【特許文献】
【０００６】
【特許文献１】特開平１０−２０８４２０号公報
【特許文献２】特開平１０−２０８４１９号公報
【特許文献３】特開平４−２９５６７８号公報
【特許文献４】特開２００９−４０５０号公報
【発明の概要】
【発明が解決しようとする課題】
【０００７】
磁気ディスク試験装置において、試験に使用する磁気ヘッドは消耗品であり、一定の枚数の磁気ディスクを検査すると、またはヘッドの出力が低下してくるとそれまで使用していた磁気ヘッドを取り付けたヘッドアセンブリを試験装置から取外し、新しいヘッドアセンブリを磁気ディスク試験装置に組み込んで試験を続行する。
【０００８】
この使用済みのヘッドアセンブリを取外した後に、新しいヘッドアセンブリを試験装置に装着する際には、新しいヘッドアセンブリに取り付けられた磁気ヘッドを試験装置の他の部分にぶつけて磁気ヘッドを破壊することがないように細心の注意を払って行わなければならず、交換作業に時間がかかっていた。
【０００９】
また、フットプリントが小さい検査装置を用いて検査のスループットを上げるためには、磁気ディスクの両面を同時に検査することが望まれている。
【００１０】
特許文献１に記載されている先端にリフトタブを形成したヘッドアセンブリを磁気ディスク上からロード、アンロードする方式では、磁気ディスクの片面試験を行う方式のものであり、両面を同時に検査する場合には適用することが難しい。
【００１１】
特許文献２及び３に記載されている方式では、ヘッドアセンブリの取付けは、リフトタブ部をロードバーにセットし、ヘッドアセンブリをヘッド固定部に取付ける必要はあるが、磁気ヘッドとロードバーの接触による破損が生じないように注意しながら取付けなければならない。
【００１２】
特許文献４には、リフトタブに対してロードバーが移動できるような構成とすることによりヘッドアセンブリをヘッド固定部に取付けるときに磁気ヘッドがロードバーに接触しないようにした構成が記載されているが、リフトタブを可動な構成を採用することにより、全体の構成が複雑になっている。
【００１３】
本発明は、上記した従来技術の課題を解決して、消耗品であるヘッドアセンブリを交換するときに、比較的簡単な構成により磁気ヘッドがロードバーと接触することによって破損が生じるのを防止すると共に、ジンバルに不要な力が加わらないようにしてジンバルの変形を防止し、取り付け時間を短縮できるようにしたディスク検査装置を提供することに有る。
【課題を解決するための手段】
【００１４】
上記課題を解決するために、本発明では、磁気ディスクを保持して回転させるスピンドル軸手段と、このスピンドル軸手段で回転させた磁気ディスクにテストデータを書込み、書き込んだテストデータを読み出して前記磁気ディスクの電気的特性を検出する磁気ヘッドを備えたヘッド手段と、このヘッド手段の磁気ヘッドで磁気ディスクから読み出したテストデータの検出信号を処理して磁気ディスクの電気的特性を検査する信号処理手段と、スピンドル軸手段とヘッド手段と信号処理手段とを制御する制御手段とを備えた磁気ディスクの検査装置において、ヘッド手段に、磁気ヘッドとこの磁気ヘッドを保持して先端部に突起状のリフトタブが形成されこのリフトタブが形成された側と反対の側にはボス穴が形成されたジンバルとを備えたヘッドアセンブリ部と、このヘッドアセンブリ部の磁気ヘッドの高さを規定するロードバーを有してヘッドアセンブリ部を装着するサスペンションアダプタ部とを備え、サスペンションアダプタ部のヘッドアセンブリ部を装着する面にはジンバルのボス穴に対応する穴部を設け、かつ、装着する面の一辺には傾斜面を形成し、ヘッドアセンブリ部のジンバルをサスペンションアダプタ部の傾斜面に沿わせてジンバルのボス穴の一部をブロック体の穴部に挿入した状態でジンバルのリフトタブがサスペンションアダプタ部のローバーの下方に位置するようにヘッドアセンブリ部とサスペンションアダプタ部とを形成した。
【００１５】
また、上記課題を解決するために、本発明では、磁気ディスクを保持して回転させるスピンドル軸手段と、このスピンドル軸手段で回転させた磁気ディスクにテストデータを書込み、この書き込んだテストデータを読み出して磁気ディスクの電気的特性を検出する磁気ヘッドを備えたヘッド手段と、このヘッド手段の磁気ヘッドで磁気ディスクから読み出したテストデータの検出信号を処理して磁気ディスクの電気的特性を検査する信号処理手段と、スピンドル軸手段とヘッド手段と信号処理手段とを制御する制御手段とを備えた磁気ディスクの検査装置において、ヘッド手段を、磁気ヘッドとこの磁気ヘッドを保持して先端部に突起状のリフトタブが形成されこのリフトタブが形成された側と反対の側の磁気ヘッドを保持する面とは反対側の面に突起部を有するボス穴が形成されたジンバルとを備えたヘッドアセンブリ部と、リフトタブを押し当てることによりヘッドアセンブリ部の磁気ヘッドの高さを規定するロードバーを有してヘッドアセンブリ部のジンバルに形成されたボス穴を挿入する穴部が形成されておりこの穴部にジンバルに形成されたボス穴を挿入してヘッドアセンブリ部を装着するサスペンションアダプタ部とを備えて構成した。
【発明の効果】
【００１６】
本発明によれば、磁気ディスクの検査装置において、消耗品であるヘッドアセンブリを交換するときに、比較的簡単な構成により磁気ヘッドがロードバーと接触することによって破損が生じるのを防止できると共に、ジンバルに不要な力が加わらないようにしてジンバルの変形を防止し、取り付け時間を短縮できるようにした。
【図面の簡単な説明】
【００１７】
【図１】本発明の実施例に係る磁気ディスク検査装置の全体の概略構成を示すブロック図である。
【図２】図１に示した構成におけるＡ−Ａ断面の矢視図である。
【図３Ａ】本発明の実施例に係るヘッドアセンブリの平面図である。
【図３Ｂ】本発明の実施例に係るヘッドアセンブリの正面の断面図である。
【図４】本発明の実施例に係るサスペンションアダプタの斜視図である。
【図５Ａ】本発明の実施例に係るヘッドアセンブリをサスペンションアダプタに組み込む初期の状態を示すヘッドアセンブリとサスペンションアダプタの正面図である。
【図５Ｂ】本発明の実施例に係るヘッドアセンブリをサスペンションアダプタに組み込んだ状態を示すヘッドアセンブリとサスペンションアダプタの正面図である。
【発明を実施するための形態】
【００１８】
以下に、本発明の実施例を、図を用いて説明する。  
図１は、本発明を適要した磁気ディスク検査装置の構成を示す図である。１は検査対象の磁気ディスク、１０は磁気ディスク回転駆動部で、磁気ディスク１を搭載して回転可能なスピンドル軸１１と、このスピンドル軸１１を回転駆動するモータ１２とを備えている。
【００１９】
３１０ａはスピンドル軸１１に搭載されてモータ１２により回転駆動されている磁気ディスク１に磁気信号を書込み・読出しを行う磁気ヘッド３１１ａを搭載しているヘッドアセンブリ、３２０ａはヘッドアセンブリ３１０ａを装着するサスペンションアダプタである。本実施例では、磁気ディスク１の両面を同時に検査を行うので、磁気ディスク１の裏面を検査するための磁気ヘッド３１１ｂを搭載しているヘッドアセンブリ３１０ｂとサスペンションアダプタ３２０ｂとを備えている。
【００２０】
サスペンションアダプタ３２０ａとサスペンションアダプタ３２０ｂとは、それぞれモータ３３０a、３３０ｂで回転駆動される。モータ３３０aと３３０ｂは、それぞれ支持アーム３４０a及び３４０bに保持されている。支持アーム３４０aと３４０bとは、それぞれ軸３４１ａ及び３４１ｂを介して支持板３５０に回転可能に取付けられている。      
５０は制御・信号処理部で、磁気ディスク回転駆動部１０のモータ１２の回転駆動を制御するディスク回転駆動回路部５１、１対の磁気ヘッド３１１aと３１１bにより磁気ディスク１の両面に磁気信号を書込み、この書き込んだ信号を読み出すための信号を制御するリード・ライトテスト制御部５２、ヘッドアセンブリ３１０ａおよび３１０ｂを駆動するモータ３３０ａおよび３３０ｂを制御するモータ制御部５３、ディスク回転駆動回路部５１とリード・ライトテスト制御部５２とモータ制御部５３とを制御してリード・ライトテストの結果を処理して結果を判定するマイクロプロセッサユニット（ＭＰＵ）５３を備えている。
【００２１】
６０は入出力装置で、制御・信号処理部５０に検査対象の磁気ディスクの種類の情報や、リード・ライトテストの条件を入力し、制御・信号処理部５０からのリード・ライトテストの結果を出力する。
【００２２】
図２は、図１のＡ−Ａ断面を矢印の方向から見た図である。ヘッドアセンブリ３１０ｂは、モータ３３０ｂに駆動されて矢印の方向に揺動して、スピンドル軸に搭載されモータ１２で回転駆動された磁気ディスク１にテストデータを書込み、この書き込んだデータを磁気ディスク１から読み出す。このリード・ライトテスト時のモータ１２やモータ３３０ａ及び３３０ｂの制御はそれぞれ、制御・信号処理部５０のディスク回転駆動回路部５１及びモータ制御部５３により制御される。
【００２３】
図３Ａに、ヘッドアセンブリ３１０の平面図を示す。ヘッドアセンブリ３１０は、ジンバル３１１と磁気ヘッド３１２とを備えて構成され、ジンバル３１１の先端部付近に磁気ヘッド３１２が搭載されている。ジンバル３１１のヘッド３１２が搭載される側と反対の側の平坦な面３１４に設けられた３１５はボス穴であり、ヘッドアセンブリ３１０をサスペンションアダプタ３２０に装着するときのガイドとして用いる。ジンバル３１１の先端部分（リフトタブ）３１３は細い板状に成形されている。従来のコンタクト・スタート・ストップ方式に代わって現在主流のヘッドロード機構であるランプロード方式では、磁気ディスク１が回転を停止しているときや非アクセス時に、モータ３３０で駆動してヘッドアセンブリ３１０を回動させてリフトタブ３１３を磁気ディスク１の外周の外側に設けられた傾斜面（ランプ：図示せず）に乗り上げさせることによりヘッドアセンブリ３１０をアンロードの状態にする。
【００２４】
図３Ｂに、ヘッドアセンブリ３１０正面の断面図を示す。ジンバル３１１は、３１６の部分で折り曲げられており、その一方の側にボス穴３１４が加工されている。
【００２５】
図４にサスペンションアダプタ３２０の外観を示す。サスペンションアダプタ３２０は、本体ブロック３２１の上面３２２にヘッドアセンブリ３１０のボス穴３１４が挿入される穴部３２３が形成されており、上面３２２の一端に傾斜面３２５が形成されている。また、上面３２２の別の側には、ヘッドアセンブリ３１０を搭載するときのガイド面となる壁面部３２４が形成されている。また、本体ブロック３２１から腕部３２６が伸びており、その先には立ち上がり部３２７が形成され、立ち上がり部３２７の先端にロードバー３２８が形成されている。
【００２６】
ロードバー３２８は、磁気ヘッド３１２の厚さよりも薄く形成されている。すなわち、ジンバル３１１の先端部のリフトタブ３１３がロードバー３２８の下面に当接したときに、ロードバー３２８の上面がジンバル３１１に取付けられた磁気ヘッド３１２の上面よりも低くなり、ヘッドアセンブリ３１０を磁気ディスク１にローディングしたときにロードバー３２８が磁気ディスク１の表面と接触しないように構成されている。
【００２７】
次に、図３Ａ及び図３Ｂに示したヘッドアセンブリ３１０を図４に示したサスペンションアダプタ３２０に取付ける方法を図５Ａ及び図５Ｂを用いて説明する。
【００２８】
図１に示した構成の磁気ディスク検査装置でリード・ライトテストを磁気ディスクを交換しながら繰り返し行うと、磁気ディスクの表面に存在する微細な突起物が磁気ヘッドに衝突して磁気ヘッドが損傷したり、磁気ディスクを交換する語とのロード・アンロードを繰返すことにより磁気ヘッドが磨耗するために、一定の枚数検査を行った後に磁気ヘッドを交換する。この交換は、使用済みのヘッドアセンブリ３１０をサスペンションアダプタ３２０から取外して、新しいヘッドアセンブリ３１０をサスペンションアダプタ３２０に装着することにより行われる。
【００２９】
先ず、図１に示した構成において、支持板３５０を図示していない手段を用いて図の右側に移動させてヘッドアセンブリ３１０ａ及びヘッドアセンブリ３１０ａをスピンドル軸１１から後退させる。次に、支持アーム３４０ａ及び３４０ｂをそれぞれ軸３４１ａ及び３４１ｂを中心に９０度回転させて、ヘッドアセンブリ３１０ａ及びヘッドアセンブリ３１０ａをそれぞれ上または下に９０度回転させる。
【００３０】
この状態で、図５Ａに示すようにヘッドアセンブリ３１０のジンバル３１１の平坦な面３１４をサスペンションアダプタ３２０の傾斜面３２５に押し当てた状態で下側に滑らせてジンバル３１１の平坦な面３１４に形成したボス穴３１５の一部をサスペンションアダプタ３２０の穴部３２３に引っかけた状態にする。このとき、ジンバル３１１の先端付近に取付けた磁気ヘッド３１２はサスペンションアダプタ３２０の先端部分のロードバー３２８よりも低い位置に有るので、磁気ヘッド３１２がロードバー３２８に接触することはない。
【００３１】
次に、図５Ｂに示すようにジンバル３１１のボス穴３１５がサスペンションアダプタ３２０の穴部３２３に完全に入り込むまで押し込む。このときサスペンションアダプタ３２０の先端部のリフトタブ３１３がロードバー３２８の下面に当接することにより、磁気ヘッド３１２の位置決めが成される。この状態で固定アーム３２９を移動させてジンバル３１１の平坦な面３１４をサスペンションアダプタ３２０の上面３２２に密着させて固定する。これにより、ジンバル３１１に必要以上の力をかけずにヘッドアセンブリ３１０をサスペンションアダプタ３２０に取付けることができる。
【００３２】
以上、本発明者によってなされた発明を実施例に基づき具体的に説明したが、本発明は前記実施例に限定されるものではなく、その要旨を逸脱しない範囲で種々変更可能であることは言うまでもない。
【符号の説明】
【００３３】
１・・・磁気ディスク    １０・・・磁気ディスク回転駆動部    １１・・・スピンドル軸    １２・・・モータ    ５０・・・制御・信号処理部    ６０・・・入出力装置            ３１０ａ，３１０ｂ・・・ヘッドアセンブリ  ３１１・・・ジンバル    ３１２・・・磁気ヘッド    ３１３・・・ロードバー    ３１５ボス穴    ３２０ａ、３２０ｂ・・・サスペンションアダプタ部    ３２１・・・本体ブロック部    ３２２・・・上面    ３２３・・・穴部    ３２５・・・傾斜面      ３２８・・・リフトタブ。
【図１】
2013206506.tif 000003
【図２】
2013206506.tif 000004
【図３Ａ】
2013206506.tif 000005
【図３Ｂ】
2013206506.tif 000006
【図４】
2013206506.tif 000007
【図５Ａ】
2013206506.tif 000008
【図５Ｂ】
2013206506.tif 000009